(57)【特許請求の範囲】
【請求項１】
光学機器本体に対し光軸方向への繰出し、沈胴が自在なレンズ鏡胴を備えた光学機器において、
前記レンズ鏡胴が、
前記光学機器本体に対し光軸方向前方に繰り出した繰出状態と光軸方向後方に沈胴した沈胴状態との間で移動自在な、内部にレンズが装備された移動筒組立体と、
前記光学機器本体に対し光軸方向に回転する回転部材を備え該回転部材の回転により前記移動筒組立体を繰出状態と沈胴状態との間で往復動させる駆動筒組立体とを具備し、
前記移動筒組立体と前記駆動筒組立体とのうちの一方の組立体である第１の組立体に、前記駆動筒組立体に対する前記移動筒組立体の繰出し、沈胴を案内するカム溝が設けられてなるとともに、
前記移動筒組立体と前記駆動筒組立体とのうちの他方の組立体である第２の組立体に、前記第１の組立体に設けられたカム溝に係合するカムピンが設けられてなり、
前記第１の組立体がさらに、前記カムピンが貫通して前記カム溝に係合した状態となるように前記カム溝の前面に配置され該カムピンを挟んで案内するスリットが形成されたピン案内部材を備え、該ピン案内部材に形成されたスリットの、前記カム溝により繰出状態に対応する部分に案内されたカムピンを挟む部分が、繰出状態と沈胴状態との中間的な遷移状態にあるカムピンを挟む部分から湾曲した形状に形成されてなることを特徴とする光学機器。
【請求項２】
前記第１の組立体に設けられたカム溝は、光軸を一周し一周の間に光軸方向に一回以上前進して後退する無端状のカム溝であることを特徴とする請求項１記載の光学機器。
【請求項３】
前記第１の組立体に設けられたカム溝は、それぞれが光軸を一周し一周の間に光軸方向に一回以上前進して後退する無端状の複数のカム溝からなるものであって、  前記第２の組立体に設けられたカムピンは、それぞれが前記第１の組立体に設けられた複数のカム溝のいずれかに係合する複数のカムピンからなるものであることを特徴とする請求項１記載の光学機器。
【請求項４】
前記カム溝および前記案内部材が前記駆動筒組立体に設けられたものであるとともに、前記カムピンが前記移動筒組立体に設けられたものであることを特徴とする請求項１から３のうちいずれか１項記載の光学機器。
【発明の詳細な説明】
【０００１】
【発明の属する技術分野】
本発明は、光学機器本体に対し光軸方向への繰出し、沈胴が自在なレンズ鏡胴を備えた光学機器、例えばカメラ、電子カメラ、ビデオカメラ、映写機、オーバヘッドプロジェクタ（ＯＨＰ）等に関する。
【０００２】
【従来の技術】
従来よりレンズ鏡胴を備えた各種の光学機器が知られている。ここではその代表例としてカメラを取り挙げて説明する。
【０００３】
従来より、カメラにはレンズ鏡胴が備えられており、例えば電動モータを内蔵し、その電動モータを回転させて撮影時にはレンズ鏡胴を繰り出し、非撮影時にレンズ鏡胴を沈胴するカメラが知られている。
【０００４】
ここでレンズ鏡胴の繰出し、沈胴を実現する機構として各種の機構が知られているが、そのうちの１つとしてカム溝とカムピンを備えたカム機構が知られている。このカム機構をレンズ鏡胴に適正に組み込むことにより繰出し、沈胴式のレンズ鏡胴を構成することができる。
【０００５】
【発明が解決しようとする課題】
ここで、レンズ鏡胴が繰出状態にあるとき、そのレンズ鏡胴はカメラ本体から突出しているためそのレンズ鏡胴の先端が何かにぶつかったりしてカメラ本体側に押圧される危険性がある。
【０００６】
ここで、レンズ鏡胴が繰出状態にあるときは、カムピンは、カム溝の、光軸に対して垂直か又は垂直に近い方向に延びる部分に係合しているために、繰出状態にあるレンズ鏡胴に外部から不用意な外力が加えられると、その外力により、カムピンとカム溝との係合箇所に集中応力が作用し、カムピン、カム溝のいずれか一方あるいは双方が破損するおそれがある。  本発明は、上記事情に鑑み、レンズ鏡胴が繰出状態にあるときにレンズ鏡胴先端が押圧されても、カムピンやカム溝の破損が防止されるレンズ鏡胴を備えた光学機器を提供することを目的とする。
【０００７】
【課題を解決するための手段】
上記目的を達成する本発明の光学機器は、光学機器本体に対し光軸方向への繰出し、沈胴が自在なレンズ鏡胴を備えた光学機器において、
上記レンズ鏡胴が、
光学機器本体に対し光軸方向前方に繰り出した繰出状態と光軸方向後方に沈胴した沈胴状態との間で移動自在な、内部にレンズが装備された移動筒組立体と、
光学機器本体に対し光軸方向に回転する回転部材を備えその回転部材の回転により移動筒組立体を繰出状態と沈胴状態との間で往復動させる駆動筒組立体とを具備し、
移動筒組立体と駆動筒組立体とのうちの一方の組立体である第１の組立体に、駆動筒組立体に対する移動筒組立体の繰出し、沈胴を案内するカム溝が設けられてなるとともに、
移動筒組立体と駆動筒組立体とのうちの他方の組立体である第２の組立体に、上記第１の組立体に設けられたカム溝に係合するカムピンが設けられてなり、
上記第１の組立体がさらに、上記カムピンが貫通して上記カム溝に係合した状態となるように上記カム溝の前面に配置され上記カムピンを挟んで案内するスリットが形成されたピン案内部材を備え、そのピン案内部材に形成されたスリットの、上記カム溝により繰出状態に対応する部分に案内されたカムピンを挟む部分が、繰出状態と沈胴状態との中間的な遷移状態にあるカムピンを挟む部分から湾曲した形状に形成されてなることを特徴とする。
【０００８】
本発明の光学機器は、カムピンが貫通するピン案内部材を備え、ピン案内部材の、繰出状態にあるときのカムピンを挟む部分が、繰出状態と沈胴状態との中間的な遷移状態にあるカムピンを挟む部分から湾曲した形状に形成されているため、繰出状態にあるレンズ鏡胴先端が不用意に押されたとき、その衝撃はカムピンの、カム溝に係合した部分のみではなくそのピン案内部材と係合する部分でもその衝撃を受け止めることになり、その衝撃が一箇所には集中せずに分散し、カムピンやカム溝の破損が防止される。
【０００９】
ここで、上記本発明の光学機器において、上記第１の組立体に設けられたカム溝は、光軸を一周し一周の間に光軸方向に一回以上前進して後退する無端状のカム溝であることが好ましい。
【００１０】
このレンズ鏡胴を電動モータで駆動して繰出し、沈胴を行なわせる場合、上記のような光軸方向に前進して後退する無端状のカム溝を備えるとその電動モータの一方向の回転だけで繰出しと沈胴との双方の動作を実現することができ、その電動モータのもう一方の回転をその光学機器が備える他の機構、例えばその光学機器がカメラの場合における、フィルム給送機構や焦点調節機構等に割り当てることができ、このように電動モータをレンズ鏡胴の繰出し、沈胴と、他の機構とに共用することでその光学機器の小型化、低コスト化に寄与することができる。
【００１１】
ここで、、上記本発明の光学機器において、上記第１の組立体に設けられたカム溝は、それぞれが光軸を一周し一周の間に光軸方向に一回以上前進して後退する無端状の複数のカム溝からなるものであって、
上記第２の組立体に設けられたカムピンは、それぞれが前記第１の組立体に設けられた複数のカム溝のいずれかに係合する複数のカムピンからなるものであることが好ましい。
【００１２】
この場合、カムピンを光軸のまわりに分散配置してそれぞれのカムピンを複数のカム溝のいずれかに係合させることにより、レンズ鏡胴の片側にのみ力が加わってレンズが斜めを向くようなことが防止され、安定的な繰出し、沈胴を可能となる。また、上記の複数のカム溝は無端状のものであり、電動モータの方向の回転のみで繰出しと沈胴との双方の動作が実現できる。
【００１３】
また、本発明の光学機器において、上記カム溝および上記ピン案内部材が駆動筒組立体に設けられたものであるとともに、上記カムピンが移動筒組立体に設けられたものであることが好ましい。
【００１４】
カム溝とカムピンはいずれの一方を駆動筒組立体に設け、いずれのもう一方を移動筒組立体に設けたものであってもよいが、カム溝およびピン案内部材を駆動筒組立体に、カムピンを移動筒組立体に設けると、その移動筒組立体を繰出し、沈胴する機構を比較的簡単に実現することができる。
【００１５】
【発明の実施の形態】
以下、本発明の実施形態について説明する。ここでは、本発明を、撮影後直ちに現像が行なわれて写真が現れるインスタント写真用のフィルムシートを装填してそのフィルムシートに撮影を行なうインスタント写真用のカメラに適用した実施形態について説明する。
【００１６】
図１、図２は、本発明の一実施形態としてのカメラを前方斜めから見たときの斜視図であり、図１、図２はレンズ鏡胴がそれぞれ沈胴状態、繰出状態にあるときのものである。
【００１７】
このカメラの右側（図１、図２上では左側）には、電池が内蔵されたグリップ部１１が備えられており、そのグリップ部１１の上部にはシャッタボタン１２が配置されている。また、シャッタボタン１２の斜め上にはストロボ発光部１３が備えられている。このカメラ１０に搭載されたストロボはオートストロボであり、このカメラ１０の左側（図１、図２上では右側）には、ストロボ発光時に被写体で反射して戻ってきたストロボ光の光量をモニタするためのストロボ受光窓１４が配置されている。また、このカメラには実像式ファインダが搭載されており、ストロボ受光窓１４に隣接した位置にはファインダ対物窓１５が配置されている。
【００１８】
また、このカメラ１０には、いわゆるアクティブタイプのオートフォーカス（ＡＦ）装置が搭載されており、このカメラ１０の、ファインダ対物窓１５の直上にはＡＦ用投光窓１６が配置され、その投光窓１６から横方向に所定の基線長だけ離れた、レンズ鏡胴３０に隣接した位置には、ＡＦ用受光窓１７が配置されている。ここで、ストロボ受光窓１４、ファインダ対物窓１５およびＡＦ用投光窓１６は、全体で１枚の透明な窓カバー１８で覆われている。
【００１９】
また、このカメラ１０の上部には、撮影の行なわれたフィルムシートをカメラ外部に排出するためのフィルムシート排出口１９が設けられている。さらに、このカメラ１０の前面は前カバー２０で覆われている。
【００２０】
また、このカメラ１０のレンズ鏡胴３０は、２段繰出し、沈胴式のレンズ鏡胴であり、鏡胴カバー３１に覆われた固定筒と、その固定筒に対し回転しながら繰出し、沈胴を行なう回転移動筒３２と撮影レンズユニット３４が組み込まれた直進移動筒３３とから構成されている。このレンズ鏡胴３０が図１に示す沈胴状態から図２に示す繰出状態に移行するにあたっては、固定筒を残したまま回転移動筒３２が回転しながら繰り出され、さらにそれと同時に、その回転移動筒３２の中を、直進移動筒３３が回転を伴なわずにその回転移動筒３２に対しさらに繰り出される。また、これと同様に図２に示す繰出状態から図１に示す沈胴状態に移行するにあたっては、回転移動筒３２は回転しながら固定筒に対し沈胴し、直進移動筒３３は、回転を伴なわずに回転移動筒３２に対し沈胴する。
【００２１】
撮影レンズユニット３４（図２参照）の前面には上下に分割されたレンズバリア３５（図１参照）が備えられており、このレンズバリア３５は、図１に示す沈胴状態から図２に示す繰出状態に移行する際に上下に分かれて開き、図２に示す繰出状態から図１に示す沈胴状態に移行する際に閉じるように構成されている。さらにこのレンズ鏡胴３０の直進移動筒３３の前面には飾り銘板３６が取り付けられており、その飾り銘板３６には被写界の明るさを測定するためのＡＥ受光窓３７が設けられている。
【００２２】
尚、本実施形態では、固定筒は光軸方向には移動せず、かつ鏡胴カバー３１で覆われているため外観上動かないように見え、このため固定筒と名付けられているが、後述するように、この固定筒は光軸を中心とした回転方向には移動する部材である。
【００２３】
図３、図４、および図５は、図１、図２に示すカメラのレンズ鏡胴を、光軸を含む平面で断面して示す図であり、図３は沈胴状態、図４は沈胴状態と繰出状態との中間的な状態、図５は繰出状態をあらわしている。
【００２４】
カメラ本体１００の内部に搭載された図示しない電動モータからの回転駆動力が駆動シャフト１０１を経由して駆動ギア１０２に伝えられる。
【００２５】
駆動ギア１０２には、駆動リング３１１に設けられた駆動リングギア３１１ａが噛合してあり、駆動ギア１０２が回転するとその回転駆動力は駆動リングギア３１１ａに伝えられ、駆動リング３１１が光軸を中心に回転する。この駆動リング３１１は、カメラ本体１００に固定された固定カム筒３１２の外周を取り巻くリング状の部材である。この駆動リング３１１には、連結リング３１３が、その駆動リング３１１の回転に伴ってその駆動リング３１１と一体的に回転するように嵌合している。この連結リング３１３は駆動リング３１１の前端部で駆動リング３１１に連結しており、固定カム筒３１２の内側に回り込み、その固定カム筒３１２の内側に延びる間にスリットが形成された２本のアームからなるフォーク部３１３ａが形成されている。このフォーク部３１３ａの２本のアーム間のスリットには、回転移動筒３２の外壁に立設した第１のカムピン３２ａが、光軸方向にスライド自在に挿通されている。この第１のカムピン３２ａは、連結リング３１３のフォーク部３１３ａを突き抜けて、固定カム筒３１２のリング状の内壁面に設けられた第１のカム溝３１２ａと係合している。  図６は、固定カム筒３１２の内壁面に設けられた第１のカム溝のパターンを示す図である。
【００２６】
図６の横軸は、光軸を中心とした回転方向の角度であり、図の上側が光軸方向後方（カメラ本体側）、下側が光軸方向前方である。この図６に示す、固定カム筒３１２の内壁には、図３〜図５に示す第１のカム溝３１２ａのほか、この第１のカム溝３１２ａとはカムピンとの係合形状（本実施形態では具体的にはカム溝の幅）が異なるもう一種類の第１のカム溝３１２ｂが形成されている。これら二種類の第１のカム溝３１２ａ，３１２ｂは、カムピンとの係合形状は相互に異なるものの、カムピンを案内する経路パターンは、位相が９０°ずれた位置に形成されていることを除き同一である。すなわち、これら２種類の第１のカム溝３１２ａ，３１２ｂは、それらのうちの一方を９０°ずらすともう一方の第１のカム溝に重なる同一のパターンを有する。
【００２７】
これら２種類の第１のカム溝３１２ａ，３１２ｂは、それぞれ、固定カム筒３１２の内壁面に沿って光軸を一周する無端状のカム溝であり、さらにその一周の間に光軸方向に前進して後退するパターンが２回繰り返されている。この２回の前進後退のパターンは同一である。すなわち、これら２種類の第１のカム溝３１２ａ，３１２ｂのいずれも、０°〜１８０°の部分と１８０°〜３６０°の部分は同じ経路パターンを有する。
【００２８】
これらの第１のカム溝３１２ａ，３１２ｂには、組立時に第１のカムピンをこの第１のカム溝３１２ａ，３１２ｂに挿入するためのカムピン挿入口３１２ａ１，３１２ｂ１が形成されている。ここで、カムピン挿入口３１２ａ１，３１２ｂ１は各種類の第１のカム溝３１２ａ，３１２ｂそれぞれにつき回転方向に１８０°ずれた位置に２つ、２種類の第１のカム溝３１２ａ，３１２ｂを合わせると回転方向に９０°ずつずれた位置に合計４つ設けられている。これに対応して、回転移動筒３２の外壁に立設した第１のカムピンも、回転方向に９０°ずつずれた位置に１つずつ合計４つ設けられている。これら４つの第１のカムピンは２種類の第１のカム溝の係合形状に合わせて係合部の形状が交互に異なっている。
【００２９】
また、これに対応して連結リング３１３（図３〜図５参照）には、図３〜図５に示す２つのフォーク部３１３ａのほかこれら２つのフォーク部３１３ａから回転方向に９０°ずれた位置に２つのフォーク部３１３ｂ（図８参照）が形成されている。これら合計４つのフォーク部３１３ａ，３１３ｂは、それぞれ対応するカムピンを挟むのに適切なスリット幅や長さを持っている。
【００３０】
図７、図８は、図６に示す２種類の第１のカム溝３１２ａ，３１２ｂそれぞれの断面と、それぞれの第１のカム溝に係合する２種類の第１のカムピンそれぞれの断面を示した図である。
【００３１】
図６に示すように位相が９０°ずれた２種類の第１のカム溝３１２ａ，３１２ｂが存在することに対応して、回転移動筒３２の外壁に立設した第１のカムピンも、図３、図７に示す第１のカムピン３２ａのほか、その第１のカムピン３２ａとは９０°位相の異なる位置に立設したもう一種類の第１のカムピン３２ｂ（図８参照）が存在する。すなわち第１のカムピン３２ａ，３２ｂは、図３に示す、２つの第１のカムピン３２ａのほか、それらとは回転方向に９０°異なる位置に立設した２つの第１のカムピン３２ｂが存在し、したがって第１のカムピン３２ａ，３２ｂは合計４つ存在し、２種類の第１のカム溝３１２ａ，３１２ｂのそれぞれに２つずつ係合している。
【００３２】
第１のカムピン３２ａ，３２ｂは、回転移動筒３２の外壁側の基部３２ａ１，３２ｂ１と、連結リング３１３（図３〜図５参照）のフォーク部３１３ａ，３１３ｂを構成する２本のアーム（図７、図８には各フォーク部３１３ａ，３１３ｂを構成する各２本のアームのうちの各１本のアームが示されている）に挟まれて案内されるガイド部３２ａ２，３２ｂ２と、第１のカム溝３１２ａ，３１２ｂに係合して案内される係合部３２ａ３，３２ｂ３とを有する。ここで図７、図８に示す２種類の第１のカム溝３１２ａ，３１２ｂのうちの図７に示す一方の第１のカム溝３１２ａは幅広のカム溝であり、それに係合する第１のカムピン３２ａの係合部３２ａ３もそのカム溝の幅形状に応じ太径に形成されている。これに対し、図８に示すもう一方の第１のカム溝３１２ｂは幅の狭いカム溝であって、それに係合する第１のカムピン３２ｂの係合部３２ｂ３もそのカム溝の幅形状に応じ細径に形成されている。
【００３３】
図６に示すように、２本の第１のカム溝３１２ａ，３１２ｂはいずれも光軸方向に前進したり後退したりしながら光軸を無端状に取り巻くものであるため、それら２本の第１のカム溝３１２ａ，３１２ｂは、図６に示すように、それらの経路の途中で相互に交差することになる。そこでそれら２本の第１のカム溝３１２ａ，３１２ｂの幅を相互に異ならせ、それらの第１のカム溝３１２ａ，３１２ｂに係合する第１のカムピン３２ａ，３２ｂの係合部３２ａ３，３２ｂ３も係合するカム溝に合わせて相互に異ならせることにより、繰出し、沈胴時に異なるカム溝に入り込んでしまうことが防止され、繰出し、沈胴動作が安定的にかつ正確に行なわれる。
【００３４】
図９，図１０は、連結リング３１３（図３〜図５参照）のフォーク部と、第１のカムピンと、第１のカム溝との関係を示す図である。
【００３５】
連結リング３１３には、図７，図８に示すように、２種類の第１のカム溝３１２ａ，３１２ｂに係合する２種類の第１のカムピン３２ａ，３２ｂに対応して２種類のフォーク部３１３ａ，３１３ｂが設けられているが、いずれのフォーク部も同様の形状を有し同様の作用を成すため、ここでは、代表的に、それら２種類のフォーク部３１３ａ，３１３ｂのうちの一方のフォーク部３１３ａについてのみ図示し、説明を行なう。
【００３６】
図９は、繰出装置と沈胴状態との中間的な遷移状態を示しており、図１０は繰出状態を示している。
【００３７】
フォーク部３１３ａは、２本のアームの間に、基本的には光軸方向（図９，図１０の上下方向）に延びるスリット３１３ａ１が形成されたものであるが、そのスリットは、繰出状態においてカムピン３２が位置する一番奥の部分が湾曲した形状を有する。
【００３８】
第１のカム溝３１２ａは、図９に示す遷移状態に対応する部分では光軸（図９の上下方向）に対し斜めに延びており、フォーク部３１３ａのスリット３１３ａ１に第１のカムピン３２ａを挟んだ状態のまま連結リング３１３が回転すると、カムピン３２ａは、連結リング３１３の回転に伴って回転（図９の左右方向への移動）するとともに、カム溝３１２ａに案内されて光軸方向へも移動する。
【００３９】
第１のカム溝３１２ａの、繰出状態に対応する部分は、図１０に示すように、光軸方向（図１０の上下方向）に対し垂直に近い方向に延びており、カムピン３２ａは、繰出状態まで案内されると、フォーク部３１３ａのスリット３１３ａ１の一番奥の湾曲した部分に入り込む。
【００４０】
その状態、すなわちレンズ鏡胴がカメラ本体から繰り出した状態においてレンズ鏡胴の先端に不用意に力が加わったとき、それによる衝撃は、カムピン３２ａの、カム溝３１２ａと係合した係合部３２ａ３（図７参照）のみでなく、フォーク部３１３ａに案内される案内部３２ａ２でも受け止められ、衝撃が分散し、カムピン３２ａが折れたりカム溝３１２ａが欠けたりする不良の発生が防止される。またカム溝３１２ａの、繰出状態に対応する部分は、光軸に対し垂直に近い方向に延びているため、その衝撃によりカムピン３２ａのカム溝３１２ａとの係合位置がずれてしまうことも防止される。
【００４１】
図３〜図５に戻って、説明を続行する。
【００４２】
回転移動筒３２の後端部にはその外周にリング状の係合溝３２ｅが設けられており、その係合溝３２ｅには、直進ガイドリング３３１の係合爪３３１ａが係合している。また固定カム筒３１２の内壁には直進ガイドキー溝３１２ｃが形成されており、直進ガイドリング３３１に設けられた直進ガイドキー３３１ｂが嵌入している。
【００４３】
したがって、駆動ギア１０２が回転してその回転駆動力が駆動リングギア３１１ａを介して駆動リング３１１に伝えられると、その駆動リング３１１が光軸を中心に回転し、その駆動リング３１１と嵌合している連結リング３１３が駆動リング３１１と一体的に光軸を中心に回転し、その連結リング３１３に備えられたフォーク部３１２ａ，３１２ｂ（フォーク部３１２ｂについては図３〜図５には図示せず、図８参照）で、そのフォーク部３１２ａ，３１２ｂに挟まれた第１のカムピン３２ａ，３２ｂ（第１のカムピン３２ｂも図３〜図５には図示せず、図８参照）を光軸中心に回転させ、これにより、第１のカムピン３２ａ，３２ｂが固設している回転移動筒３２が光軸中心にも回転する。ここで、第１のカムピン３２ａ，３２ｂは、図６に示す形状の第１のカム溝３１２ａ，３１２ｂに係合しているため、回転移動筒３２はその第１のカム溝３１２ａ，３１２ｂの経路パターンに従って回転しながら光軸方向に移動する。ここで、図６に示す第１のカム溝３１２ａ，３１２ｂの経路パターンからわかるように、回転移動筒３２は、同一方向の回転だけで光軸方向に繰り出され、さらに回転することにより沈胴する。また、この回転移動筒３２の内壁面には、第２のカム溝３２ｃが形成されている。この第２のカム溝３２ｃについては後で説明する。
【００４４】
上述したように、この回転移動筒３２の後端部のリング状の係合溝３２ｅには直進ガイドリング３３１の係合爪３３１ａが係合しており、この直進ガイドリング３３１の直進ガイドキー３３１ｂが固定カム溝３１２の内壁面に形成された直進ガイドキー溝３１２ｃに嵌入しているため、回転移動筒３２が回転しても直進ガイドリング３３１は回転せず、ただしこの直進ガイドリング３３１は回転移動筒３２の光軸方向の移動にはその回転移動筒３２と一緒に移動する。
【００４５】
この直進ガイドリング３３１は、回転移動筒３２の内壁面に沿って筒状に延びており、その部分には内壁面と外壁面とを貫いて光軸方向に直線的に延びるスリット状の直進ガイド溝穴３３１ｃが形成されている。また、その直進ガイドリング３３１のさらに内側には、レンズシャッタ組３４を搭載した直進移動筒３３が配置されている。この直進移動筒３３の外壁面後端部には第２のカムピン３３ａが立設し、その第２のカムピン３３ａは、直進ガイドリング３３に設けられた直進ガイド溝穴３３１ｃを突き抜けて、回転移動筒３２の内壁面に形成された第２のカム溝３２ｃに係合している。
【００４６】
図１１は、回転移動筒３２の内壁面に形成された第２のカム溝のパータンを示す図である。図１１の横軸は光軸を中心とした回転方向の角度であり、図示の上方が光軸方向後方（カメラ本体側）、下側が光軸方向前方である。
【００４７】
この図１１に示す、回転移動筒３２の内壁には、図６に示す第１のカム溝の場合と同様、図３〜図５に示す第２のカム溝３２ｃのほか、その第１のカム溝３２ｃとはカムピンとの係合形状（本実施形態では具体的にはカム溝の幅）が異なるもう一種類の第２のカム溝３２ｄが形成されている。これら２種類の第２のカム溝３２ｃ，３２ｄは、これも第１のカム溝の場合と同様、カムピンを案内する経路パターンは位相が９０°ずれた位置に形成されていることを除き同一である。すなわち、これら２種類の第２のカム溝３２ｃ，３２ｄはそれらのうちの一方を９０°ずらすともう一方の第２のカム溝に重なる同一のパターンを有する。
【００４８】
これら２種類の第２のカム溝３２ｃ，３２ｄも、第１のカム溝３１２ａ，３１２ｂと同様、それぞれが回転移動筒３２の内壁面に沿って光軸を一周する無端状のカム溝であり、さらにその一周の間に光軸方向に前進して後退するパターンが２回繰り返されている。この２回の前進後退のパターンは同一であり、０°〜１８０°の部分と１８０°〜３６０°の部分は同じ経路パターンを有する。
【００４９】
ここで、第１のカム溝３１２ａ，３１２ｂに係合する第１のカムピン３２ａ，３２ｂが第１のカム溝３１２ａ，３１２ｂの光軸方向に前進した部分に案内されたときに、第２のカム溝３２ｃ，３２ｄに係合する第２のカムピン３３ａ（第２のカム溝３２ｄに係合する第２のカムピンは図示省略されているがその第２のカムピンを含む）も第２のカム溝３２ｃ，３２ｄの光軸方向に前進した部分に案内され、第１のカムピン３２ａ，３２ｂが第１のカム溝３１２ａ，３１２ｂの光軸方向に後退した部分に案内されたときに第２のカムピン３３ａも第２のカム溝３２ｃ，３２ｄの光軸方向に後退した部分に案内されるように、第２のカム溝３２ｃ，３２ｄの経路パターンの回転方向の形成位置および第２のカムピン３３ａの形成位置が定められている。
【００５０】
これらの第２のカム溝３２ｃ，３２ｄは、組立時に第２のカムピンを第２のカム溝３２ｃ，３２ｄに挿入するためのカムピン挿入口３２ｃ１，３２ｄ１が形成されている。ここで、カムピン挿入口３２ｃ１，３２ｄ１は、２つの第２のカム溝３２ｃ，３２ｄそれぞれにつき回転方向に１８０°ずれた位置に２つ、これら２つの第２のカム溝３２ｄ，３２ｄを合わせると回転方向に９０°ずつずれた位置に合計４つ設けられている。これに対応して直進移動筒３３の外壁面に立設した第２のカムピンも、回転方向に９０°ずつずれた位置に１つずつ合計４つ設けられている。これら４つの第２のカムピンは、２つの第１のカム溝の係合形状が相互に異なることに対応して係合部の形状が交互に異なっている。
【００５１】
また、これら４つの第２のカムピンに対応して直進ガイドリング３３１（図３〜図５参照）には、図３〜図５に示す２つの直進ガイド溝穴３３１ｃのほか、これら２つの直進ガイド溝穴３３１ｃから回転方向に９０°ずれた位置にさらに２つの直進ガイド溝穴（図示せず）が形成されている。これら合計４つの直進ガイド溝穴はそれぞれ対応する第２のカムピンを挟むのに適切なスリット幅や長さを持っている。
【００５２】
図１１に示す２つの第２のカム溝３２ｃ，３２ｄは、第１のカム溝の場合と同様相互に溝幅が異なっており、これら溝幅の異なる２種類の第２のカム溝３２ｃ，３２ｄに係合する第２のカムピンも、図７、図８に示す第１のカムピンと同様、第２のカム溝３２ｃ，３２ｄと係合する係合部の太さが相互に異なり、それぞれの第２のカム溝３２ｃ，３２ｄの溝幅と適合する径に形成されている。本実施形態では第２のカムピンの形状は第１のカムピンの形状と同じであり、第１のカムピンに関する図７、図８に相当する第２のカムピンに関する図面の提示は省略する。
【００５３】
図３〜図５に再度戻って説明を続行する。
【００５４】
前述したようにして、回転移動筒３２は、第１のカムピン３２ａ，３２ｂと第１のカム溝３１２ａ，３１２ｂとの作用により回転しながら光軸方向に移動し、それに伴って直進ガイドリング３３１が回転が阻止された状態で光軸方向には回転移動筒３２とともに移動する。  ここで回転移動筒３２の内壁面には第２のカム溝３２ｃ，３２ｄが形成されており、直進移動筒３３に立設した第２のカムピン３２ａが直進ガイドリング３３１の直進ガイド溝穴３３１ｃを突き抜けて第２のカム溝３２ｃ，３２ｄに係合しているため、回転移動筒３３が回転しながら光軸方向に移動すると、それに伴って、直進移動筒３３は、直進ガイド溝穴３３１ｃにより回転が阻止された状態で光軸方向に移動する。ここで、前述したように、第１のカムピン３２ａ，３２ｂが第１のカム溝３１２ａ，３１２ｂの光軸方向前方に進んだ部分に案内されたときに第２のカムピン３３ｃも第２のカム溝３１２ａ，３１２ｂの、光軸方向前方に進んだ部分に案内されるように各カム溝の経路パターンや各カムピンの配置位置が定められている、このため、回転移動筒３２が光軸方向前方に繰り出されるときに直進移動筒部３３はその回転移動筒３２に対しさらに前方に繰り出されて、図５に示すように、回転移動筒３２が鏡胴カバー３７よりも前方に突出し直進移動筒３３はさらに前方に突出した状態となり、回転移動筒３２が光軸方向後方に沈胴するときに直進移動筒３３もその回転移動筒３２に対し沈胴して、図３に示すように、回転移動筒３２および直進移動筒３３の双方が鏡胴カバー３１の内部に入り込んだ状態となる。ここで、これまでの説明から明らかなように、この繰出し、沈胴の際、回転移動筒３２は回転しながら光軸方向に移動し、直進移動筒３３は回転は伴なわずに直進的に光軸方向に移動する。また、この繰出し、沈胴は駆動リング３１１が一方向に９０°回転するごとに繰出しと沈胴が交互に繰り返される。
【００５５】
直進移動筒３３の前面には、飾り銘板３６が緩衝用のゴムリング３９を挟んだ状態で取り付けられている。このゴムリング３９は、図５に示す繰出状態においてレンズ鏡胴前面に衝撃が加わったときに、その衝撃の一部を吸収してレンズ鏡胴の狂いや破損を防止するためのものである。
【００５６】
この飾り銘板３６の中央部には撮影用の光をレンズ鏡胴に取り込むための開口３６ａが形成されており、その開口３６ａの内側には、上下に分割されたレンズバリア３５が配置されている。このレンズバリア３５は、図示しない機構により図３に示す沈胴状態では閉じ、その沈胴状態から繰出状態に移行すると上下に開くように構成されている。
【００５７】
また、直進移動筒３３には、レンズシャッタ組３４が搭載されているが、このレンズシャッタ組３４を構成するレンズ後群３４ａは、レンズシャッタ組３４の他の部分とは独立に、図示しないピント調整用電動モータにより光軸方向に移動するようになっており、図５に示す繰出状態においてシャッタボタン１２が押されると、シャッタ３４ｂが実際に開閉するよりも前に、このカメラに搭載されたアクティブタイプのオートフォーカス装置により被写体までの距離が測定され、レンズ後群３４ａがその測定された距離に応じた位置に移動し、その後シャッタ３４ｂが開閉するようになっている。
【００５８】
このレンズ鏡胴３０の繰出し、沈胴を担う図示しない電動モータは、正転のみでレンズ鏡胴３０の繰出しと沈胴との双方を担っており、本実施形態では、その電動モータの逆転は、図示しないフィルムシートを図１、図２に示すフィルムシート排出口１９からカメラ外部に送り出すために使用されている。
【００５９】
ここで、これまでの説明から明らかなように、本実施形態では、連結リング３１３、あるいはそのフォーク部３１３ａが本発明にいうピン案内部材に相当し、その連結リング３１３のほか、さらに駆動リング３１１や固定カム筒３１２等を合わせたものが本発明にいう駆動筒組立体に相当し、回転移動筒３２、直進移動筒３３、飾り銘板３６および直進ガイドリング３３１等を合わせたものが本発明にいう移動筒組立体に相当する。
【００６０】
尚、上述の実施形態では、第１のカムピン３２ａ，３２ｂを案内する、連結リング３１３のフォーク部３１３ａ，３１３ｂのスリットの、繰出状態に対応する部分を、遷移状態にある第１のカムピンを挟む部分から湾曲した形状に形成したが、第２のカムピン３３ａ，３３ｂを案内する、直進ガイドリング３３１の直進ガイド溝穴３３１ｃの、繰出状態に対する部分の形状を、遷移状態にある第２のカムピン３３ａ，３３ｂを挟む部分から湾曲した形状に形成し、第２のカムピン３３ａ，３３ｂに加わる衝撃を分散するように構成してもよい。このように構成した場合は、直進ガイドリング３３１が本発明にいうピン案内部材に相当し、その直進ガイドリング３３１や回転移動筒３２等を合わせたものが本発明にいう駆動筒組立体に相当し、直進移動筒３３や飾り銘板３６等を合わせたものが本発明にいう移動筒組立体に相当することになる。
【００６１】
すなわち、上述の実施形態では第１のカム溝と第１のカムピンとからなる第１のカム機構に関連して本発明に特徴的なピン案内部材（連結リング３１３のフォーク部３１３ａ）を備えているが、第２のカム溝と第２のカムピンとからなる第２のカム機構に関するピン案内部材（直進ガイドリング３３１の直進ガイド溝穴３３１ｃ）を本発明に特徴的な形状を有するピン案内部材として形成してもよく、あるいはそれら第１および第２のカム機構それぞれに関連して本発明に特徴的な形状を持つ各ピン案内部材を備えてもよい。
【００６２】
また上述の実施形態では第１のカム溝、第２のカム溝とも２本のカム溝を形成しそれら２本のカム溝それぞれにカムピンを係合させて繰出し、沈胴を行なわせるように構成したため、繰出しや沈胴に際しガタつきやレンズの傾き等が抑えられ、安定的にかつ高精度な繰出し、沈胴が行なわれる。
【００６３】
さらに、上述の本実施形態では、第１のカム溝、第２のカム溝とも２本のカム溝の溝幅を異ならせ、それに対応してカムピンの係合部の太さも異ならせたため、図６、図９に示すように２本のカム溝は相互に交差しているものの、一方の種類のカム溝に係合するカムピンが他方の種類のカム溝に係合するような動きが確実に阻止され、本実施形態ではこの点からも安定的かつ正確な繰出し、沈胴が行なわれる。
【００６４】
尚、上述した実施形態では、第１のカム溝、第２のカム溝双方とも溝幅の異なる２本のカム溝が形成されているが、カム溝を相互に異ならせるのは溝幅である必要はなく、溝の深さであってもよく、一般的にはカム溝の断面形状が相互に異なるものであってもよい。
【００６５】
また、上述の実施形態では、第１のカム溝、第２のカム溝双方とも、光軸を一周する間に光軸方向への前進と後退を２回繰り返すパターンに形成されているが、一周の間の光軸方向の前進、後退は２回である必要はなく、１回以上任意の回数のものであってもよい。
【００６６】
さらに、上述の実施形態では、第１のカム溝、第２のカム溝双方とも２本のカム溝が形成されているが、２本である必要はなく３本以上のカム溝が形成されていてもよい。その場合、カムピンとの係合形状は３本とも相互に異なっている必要はなく、それら３本以上のカム溝全体として２種類以上の係合形状を持っていればよい。
【００６７】
さらに、上述の実施形態は、二段繰出し、沈胴式のレンズ鏡胴を備えたカメラであるが、本発明は一段のみの繰出し、沈胴式のレンズ鏡胴を備えたカメラにも適用することができ、さらに、本発明は、カメラに限らず、例えば電子カメラ、ビデオカメラ、映写機、ＯＨＰ等、繰出し、沈胴式のレンズ鏡胴を備えた光学機器であればどのような機器にも適用することができる。
【００６８】
【発明の効果】
以上説明したように、本発明によれば、繰出状態にあるレンズ鏡胴先端に不用意に力が加えられても、それによって生じる可能性のある不都合が回避される。
【図面の簡単な説明】
【図１】本発明の一実施形態としてのカメラを前方斜めから見たときの斜視図である。
【図２】本発明の一実施形態としてのカメラを前方斜めから見たときの斜視図である。
【図３】本発明のカメラのレンズ鏡胴を、光軸を含む平面で断面して示す図である。
【図４】本発明のカメラのレンズ鏡胴を、光軸を含む平面で断面して示す図である。
【図５】本発明のカメラのレンズ鏡胴を、光軸を含む平面で断面して示す図である。
【図６】固定カム筒の内壁面に設けられた第１のカム溝のパターンを示す図である。
【図７】図６に示す２種類の第１のカム溝のうちの一方の第１のカム溝の断面と、その第１のカム溝に係合する第１のカムピンの断面を示した図である。
【図８】図６に示す２種類の第１のカム溝のうちの一方の第１のカム溝の断面と、その第１のカム溝に係合する第１のカムピンの断面を示した図である。
【図９】連結リングのフォーク部と、第１のカムピンと、第１のカム溝との関係を示す図である。
【図１０】連結リングのフォーク部と、第１のカムピンと、第１のカム溝との関係を示す図である。
【図１１】回転移動筒の内壁面に形成された第２のカム溝のパータンを示す図である。
【符号の説明】
１０  カメラ
１１  グリップ部
１２  シャッタボタン
１３  ストロボ発光部
１４  ストロボ受光窓
１５  ファインダ対物窓
１６  ＡＦ用投光窓
１７  ＡＦ用受光窓
１８  窓カバー
１９  フィルムシート排出口
２０  前カバー
３０  レンズ鏡胴
３１  鏡胴カバー
３２  回転移動筒
３３  直進移動筒
３２ａ，３２ｂ  カムピン
３２ｃ，３２ｄ  カム溝
３２ｅ  係合溝
３３  直進移動筒
３３ａ  カムピン
３４    レンズシャッタ組
３４ａ  レンズ後群
３４ｂ  シャッタ
３５  レンズバリア
３６  飾り銘板
３６ａ  開口
３７  ＡＥ受光窓
３９  ゴムリング
１００  カメラ本体
１０１  駆動シャフト
１０２  駆動ギア
３１１  駆動リング
３１１ａ  駆動リングギア
３１２  固定カム筒
３１３  連結リング
３１３ａ，３１３ｂ  フォーク部
３１３ａ１  スリット
３１２ａ，３１２ｂ  カム溝
３１２ｃ  直進ガイドキー溝
３３１  直進ガイドリング
３３１ａ  係合爪
３３１ｂ  直進ガイドキー
３３１ｃ  直進ガイド溝穴
【図１】
0004008618.tif 000002
【図２】
0004008618.tif 000003
【図３】
0004008618.tif 000004
【図４】
0004008618.tif 000005
【図５】
0004008618.tif 000006
【図６】
0004008618.tif 000007
【図７】
0004008618.tif 000008
【図８】
0004008618.tif 000009
【図９】
0004008618.tif 000010
【図１０】
0004008618.tif 000011
【図１１】
0004008618.tif 000012